(57)【要約】【課題】  より簡単な構成で、支持支柱が急激に落下することのないようにした、イルリガートルスタンドにおける支持支柱の緩衝装置を提供する。【解決手段】  緩衝装置１３として、前記基部支柱３ａ内の下端側を閉止した栓部材７と、前記支持支柱３ｂの下端部側に、前記栓部材７に対向して、前記基部支柱３ａ内壁に密接摺動するキャップ形状の緩衝弁体１４とを備える。  前記栓部材７には、軸方向外周に沿って基部支柱３ａ内空間と底面外側とを連通する空気流通路１５を設ける。  一方、前記緩衝弁体１４における弁部１４ｂは、外周部がテーパー状に拡開して、弁部１４ｂ内側の接地部１４ｃとの間に空間部Ｇを画成し、前記接地部１４ｃには円筒空洞部Ｒｇを形成して、円筒空洞部Ｒｇと、前記弁部１４ｂ内側の空間部Ｇとで、表面積を拡大し、空気緩衝機能を高めるようにする。【選択図】              図１
2006230479.tif 000002
【特許請求の範囲】
【請求項１】
イルリガートルスタンドにおける基部支柱に対し、昇降自在に遊嵌すると共に、高さ調節可能に保持してなる、点滴瓶等を吊下げるための吊し具を設けた支持支柱を有し、前記基部支柱内の下端側を栓部材によって閉止すると共に、前記支持支柱の、基部支柱内に遊嵌した下端部側に、基部支柱内下端側に装着した栓部材に対向して、底面を上に凸状の底面とした空気緩衝手段を設け、前記基部支柱内下端側の栓部材に、軸方向外周に沿って基部支柱内空間と底面外側とを連通させた空気流通路を設け、前記支持支柱の自由落下時に、基部支柱内空間を前記空気緩衝手段により遮断する一方、前記栓部材の空気流通路を介して、比較的微量の空気を流通させることで前記支持支柱の降下速度を抑制するようにしたことを特徴とするイルリガートルスタンドにおける支持支柱の緩衝装置。
【請求項２】
前記空気緩衝手段は、前記支持支柱下端部に、前記基部支柱内壁に密接摺動するキャップ形状の緩衝弁体を構成し、この緩衝弁体は弾性変形可能な素材で構成して、下方側に向かって拡開すると共に下端側の外周寸法が基部支柱内壁に密接摺動可能な寸法とし、前記支持支柱下降時に、前記緩衝弁体の下端部側外周部が、基部支柱内壁を密接摺動することで基部支柱内空間を遮断して、前記栓部材の空気流通路を介して、比較的微量の空気を流通させることで支持支柱を緩衝的に下降させる一方、前記支持支柱を持ち上げる際、前記栓部材の空気流通路を介して、比較的微量の空気を基部支柱内空間内に流入させると共に、前記緩衝弁体の外周部が縮径的に変形させて、緩衝弁体の外周部と基部支柱内壁との間を介して基部支柱内空間内に空気を流入させる構成としたことを特徴とする請求項１記載のイルリガートルスタンドにおける支持支柱の緩衝装置。
【請求項３】
前記緩衝弁体の底面側の表面積に比較して、前記栓部材の空気流通路の断面積を小さく設定したことを特徴とする請求項２記載のイルリガートルスタンドにおける支持支柱の緩衝装置。
【請求項４】
前記緩衝弁体は上半部に、基部支柱内に遊嵌した支持支柱下端部に嵌入して装着する装着部と、下半部側に、外周が下方側に向かってテーパー状に拡開すると共に下端側の外周寸法が基部支柱内壁に密接摺動可能な寸法とした弁部と、弁部内側底面から、下方に向かって突出して、支持支柱が下降した際に、基部支柱内下端側の栓部材頂部に接触する接地部とを設ける構成としたことを特徴とする請求項２または３記載のイルリガートルスタンドにおける支持支柱の緩衝装置。
【請求項５】
前記弁部のテーパー状に拡開する外周部は、比較的肉薄に形成すると共に、弁部内側の接地部には、底面中心に空洞部を形成して、これら空洞部と、前記弁部内側の空間部とで、基部支柱内空間の空気と接触する表面積を拡大するようにしたことを特徴とする請求項４記載のイルリガートルスタンドにおける支持支柱の緩衝装置。
【発明の詳細な説明】
【技術分野】
【０００１】
本発明は、点滴瓶等を吊下げるための吊し具を設けた支持支柱を昇降可能に結合したイルリガートルスタンドにおいて、重力によって支持支柱が急激に落下することのないようにした、イルリガートルスタンドにおける支持支柱の緩衝装置に関するものである。
【背景技術】
【０００２】
例えば、病院備品として、点滴瓶等を吊り下げて自在に移動できるようにしたイルリガートルスタンドがある。このイルリガートルスタンドでは、前記点滴瓶を吊下げるための支柱部は、伸縮調節可能に構成されていて、適宜な締付保持手段によって固定し、点滴瓶を所望の高さで吊下げることができるようにしている。
【０００３】
従って、前記締付保持手段の締付け方が甘かったり、点滴瓶の保持高さを調節する際、いきなり締付保持手段を緩めたりすると、点滴瓶の重みによって支柱部上部側が急激に下降することがあり、点滴瓶や吊し具が頭に当たるなどして怪我するおそれがある。そこで、本出願人は、以前、例えば
【特許文献１】（特願２００１−３７２０１２号公報）に示すようなイルリガートルスタンド１を提案している（図５、図６、図７参照）。
【０００４】
このイルリガートルスタンド１では、移動用キャスタ６を装着した脚部２に立設した基部支柱３ａに対し、点滴瓶等を吊下げるための吊し具５を設けた支持支柱３ｂを高さ調節ノブ４により高さ調節可能に保持する構成としている。
このイルリガートルスタンド１において、前記基部支柱３ａの下端側を、適宜な材質の栓部材７によって気密状に閉止する一方、前記支持支柱３ｂの、基部支柱３ａ内に昇降自在に装入した下端部側に、空気緩衝手段であるキャップ形状の弁体９を、受部材８、保持軸８ａに介して遊嵌している。
【０００５】
この場合弁体９は、周知の適度な弾性を有する合成樹脂によって構成し、下方側に向かって拡開しており、頂部には、前記保持軸８ａを余裕をもって挿通するための挿通穴１０を形成している。また、頂部裏面において、前記挿通穴１０を囲むように等間隔毎に突部１１を設けていて、これら突部１１が前記保持軸８ａのフランジ部８ｂに当接した際に、隣接する突部１１間から、前記挿通穴１０を介し支持支柱３ｂと基部支柱３ａ内壁との間に至る空気通路を画成している。さらに前記弁体９の下端側は、基部支柱３ａ内壁に密接摺動可能な外径を有している。
【０００６】
以上のような構成によって、誤って高さ調節ノブ４を緩めすぎた状態で支持支柱３ｂから手を離すと、支持支柱３ｂは、拘束が解かれ、自由落下の状態となるが、弁体９の下端側は、基部支柱３ａ内壁に密接し、弁体９下方の基部支柱３ａ内空間は気密状態となるので、前記支持支柱３ｂは、空気の緩衝作用によって、抑えられた降下速度で、下降することができる。
【０００７】
このように、誤って高さ調節ノブ４を緩めすぎた状態で支持支柱３ｂから手を離しても、支持支柱３ｂは、空気緩衝作用によって降下速度が抑制され、より取り扱いの容易なものとすることができる。
【発明の開示】
【発明が解決しようとする課題】
【０００８】
しかしながら、上記イルリガートルスタンド１では、上述のように、弁体９の構造、また、弁体９を遊嵌状態で保持したり密接させたりする、保持軸８ａ、フランジ部８ｂを有する受部材８等、空気緩衝作用をもたらすための構成、特に弁体９の構成が比較的複雑で、所要の寸法精度を出すための加工が必要となり、部品点数も若干多く、製造コストを抑え難い。
本発明はこのような背景から、提案されたものであって、空気緩衝作用をもたらすための構成を再考して、より単純化を実現した、イルリガートルスタンドにおける支持支柱の緩衝装置を提供することを目的とする。
【課題を解決するための手段】
【０００９】
前記した課題を解決するために、本発明では、請求項１において、イルリガートルスタンドにおける基部支柱に対し、昇降自在に遊嵌すると共に、高さ調節可能に保持してなる、点滴瓶等を吊下げるための吊し具を設けた支持支柱を有し、前記基部支柱内の下端側を栓部材によって閉止すると共に、前記支持支柱の、基部支柱内に遊嵌した下端部側に、基部支柱内下端側に装着した栓部材に対向して、底面を上に凸状の底面とした空気緩衝手段を設け、前記基部支柱内下端側の栓部材に、軸方向外周に沿って基部支柱内空間と底面外側とを連通させた空気流通路を設け、前記支持支柱の自由落下時に、基部支柱内空間を前記空気緩衝手段により遮断する一方、前記栓部材の空気流通路を介して、比較的微量の空気を流通させることで前記支持支柱の降下速度を抑制するようにしたイルリガートルスタンドにおける支持支柱の緩衝装置を提案する。
また本発明では、請求項２において、前記空気緩衝手段は、前記支持支柱下端部に、前記基部支柱内壁に密接摺動するキャップ形状の緩衝弁体を構成し、この緩衝弁体は弾性変形可能な素材で構成して、下方側に向かって拡開すると共に下端側の外周寸法が基部支柱内壁に密接摺動可能な寸法とし、前記支持支柱下降時に、前記緩衝弁体の下端部側外周部が、基部支柱内壁を密接摺動することで基部支柱内空間を遮断して、前記栓部材の空気流通路を介して、比較的微量の空気を流通させることで支持支柱を緩衝的に下降させる一方、前記支持支柱を持ち上げる際、前記栓部材の空気流通路を介して、比較的微量の空気を基部支柱内空間内に流入させると共に、前記緩衝弁体の外周部が縮径的に変形させて、緩衝弁体の外周部と基部支柱内壁との間を介して基部支柱内空間内に空気を流入させる構成としたイルリガートルスタンドにおける支持支柱の緩衝装置を提案する。
また本発明では、請求項３において、前記緩衝弁体の底面側の表面積に比較して、前記栓部材の空気流通路の断面積を小さく設定したイルリガートルスタンドにおける支持支柱の緩衝装置を提案する。
また本発明では、請求項４において、前記緩衝弁体は上半部に、基部支柱内に遊嵌した支持支柱下端部に嵌入して装着する装着部と、下半部側に、外周が下方側に向かってテーパー状に拡開すると共に下端側の外周寸法が基部支柱内壁に密接摺動可能な寸法とした弁部と、弁部内側底面から、下方に向かって突出して、支持支柱が下降した際に、基部支柱内下端側の栓部材頂部に接触する接地部とを設ける構成としたイルリガートルスタンドにおける支持支柱の緩衝装置を提案する。
さらに本発明では、請求項５において、前記弁部のテーパー状に拡開する外周部は、比較的肉薄に形成すると共に、弁部内側の接地部には、底面中心に空洞部を形成して、これら空洞部と、前記弁部内側の空間部とで、基部支柱内空間の空気と接触する表面積を拡大するようにしたイルリガートルスタンドにおける支持支柱の緩衝装置を提案する。
【発明の効果】
【００１０】
本発明によれば、より単純な構成によって、点滴瓶等を吊下げるための吊し具を設けた支持支柱が誤って自由落下の状態となっても、空気緩衝手段によって落下速度を抑えることができ、取り扱い性に優れ、安全性に優れたものとすることができ、しかも、緩衝装置を構成する部品点数を少なくすることができたので、製造コストを抑えることができる。
【００１１】
請求項１によれば、支持支柱が自由落下の状態となっても、空気緩衝手段が降下すると共に、栓部材の空気流通路を介して、比較的微量の空気が流出するが、前記緩衝弁体と栓部材間の空間内の空気圧が比較的高くなった状態で、空気緩衝作用をなし、前記支持支柱を緩衝的に下降させることができる。
【００１２】
請求項２によれば、支持支柱が下降するときは、緩衝弁体が支持支柱下端部側外周部が、基部支柱内壁に密接摺動することで基部支柱内空間を遮断して、前記栓部材の空気流通路を介して、比較的微量の空気を流通させることで支持支柱を緩衝的に下降させる一方、前記支持支柱を持ち上げる際、前記栓部材の空気流通路を介して、比較的微量の空気を流通させると共に、緩衝弁体の外周部が縮径的に変形することで、前記緩衝弁体と栓部材間の空間に空気を流入させるので、支持支柱下の基部支柱内が負圧となることはなく、円滑に支持支柱を持ち上げることができる。
【００１３】
請求項３によれば、緩衝弁体の底面側の表面積に比較して、前記栓部材の空気流通路の断面積を小さく設定したので、支持支柱が下降していくに連れ、下降時の減少体積は、空気流通路からの空気流出体積に比較してはるかに大きいため、基部支柱内空間部の空気圧が高まっていき、基部支柱内空間の空気が緩衝作用を発揮する。
【００１４】
請求項４、５によれば、弁部内側の空間部と、接地部の底面中心に形成した円筒空洞部とにより、基部支柱内空間部の空気と接触する表面積が高められており、この表面積に比較して、前記基部支柱下方の栓部材の空気流通路の断面積が小さいので、支持支柱が下降していくに連れ、下降時の減少体積は、空気流通路からの空気流出体積に比較してはるかに大きいため、基部支柱内空間部の空気圧が高まっていくことになる。
結果、緩衝弁体下方の基部支柱内空間の空気が緩衝作用を発揮し、抑えられた下降速度で支持支柱が下降し、やがて、緩衝弁体の接地部が基部支柱下方の栓部材頂部に接地する。
【発明を実施するための最良の形態】
【００１５】
以下、本発明にかかるイルリガートルスタンドにおける支持支柱の緩衝装置につき、一つの実施の形態を挙げ、添付の図面に基づいて説明する。なお、従来技術で示した、イルリガートルスタンド１と実質的に同様な構成要素に対しては、同符号を付すものとする。
図１に示すイルリガートルスタンド１２では、基本的な構成として、図３で示すイルリガートルスタンド１と同様、移動用キャスタ６を装着した脚部２に立設した支柱部３を構成する基部支柱３ａ、基部支柱３ａに高さ調節ノブ４により、高さ調節可能に装着してなる支持支柱３ｂを有し、支持支柱３ｂ頂部に設けた、点滴瓶等を吊下げるための吊し具５を備えている。
【００１６】
そこで前記支柱部３に備えられた緩衝装置１３について説明する。
なお、前記支柱部３は、前述したように基部支柱３ａに対し、支持支柱３ｂを昇降可能に遊嵌している。この場合、前記基部支柱３ａの内径は、前記支持支柱３ｂの外径に比較し若干大きく、支持支柱３ａを余裕をもって昇降自在に遊嵌している。
前記緩衝装置１３として、前記基部支柱３ａ内の下端側を閉止した栓部材７と、前記支持支柱３ｂの、基部支柱３ａ内に遊嵌した下端部側に、基部支柱３ａ内下端側に装着した栓部材７に対向して、前記基部支柱３ａ内壁に密接摺動するキャップ形状の緩衝弁体１４とを備えている。
【００１７】
前記栓部材７は、例えば素材としてポリエチレンを用いており、基部支柱３ａ内空間を密栓する外径を有し、軸方向外周に沿って基部支柱３ａ内空間と底面外側とを連通する空気流通路１５を設けている。
【００１８】
一方、前記緩衝弁体１４は、弾性変形可能な素材（例えばＮＢＲ製）を用いて構成した、下半部が弁部材として機能する二重円筒形状のものである。
すなわち、緩衝弁体１４は上半部に、基部支柱３ａ内に遊嵌した支持支柱３ｂ下端部に嵌入して装着する装着部１４ａと、下半部側に、外周が下方側に向かってテーパー状に拡開すると共に下端側の外周寸法が基部支柱３ａ内壁に密接摺動可能な寸法とした弁部１４ｂと、弁部１４ｂ内側底面から、下方に向かって突出して、支持支柱３ｂが下降した際に、基部支柱３ａ内下端側の栓部材７頂部に接触する接地部１４ｃとを設けている。
【００１９】
前記装着部１４ａは、外径が支持支柱３ｂ内径に略等しく、適宜な固定手段（図示省略）で固定している。
【００２０】
また、前記弁部１４ｂは、テーパー状に拡開する外周部は、変形容易にするために比較的肉薄に形成している。このように構成することで弁部１４ｂ内側の接地部１４ｃとの間に空間部Ｇを画成している。
【００２１】
そして前記接地部１４ｃには、底面中心に同心的に円筒空洞部Ｒｇを形成している。この円筒空洞部Ｒｇと、前記弁部１４ｂ内側の空間部Ｇとで、基部支柱３ａ内空間部内に対する表面積を拡大し、空気緩衝機能を高めるようにしている。
【００２２】
以上のような構成の緩衝装置１３を有するイルリガートルスタンド１２において、看護婦が、支持支柱頂部の吊し具５に、点滴瓶、輸液バッグを吊す際、吊し具５が高すぎる位置にあるときは、高さ調節ノブ４を緩めて、支持支柱３ｂを基部支柱３ａ内に退縮させて低くする操作を行う。
【００２３】
そしてその際、誤って高さ調節ノブ４を緩めすぎた状態で支持支柱３ｂから手を離すと、支持支柱３ｂは、拘束が解かれ、基部支柱３ａの内径は、前記支持支柱３ｂの外径に比較し若干大きい寸法なので、自由落下の状態となる。
【００２４】
前記支持支柱３ｂは、自重と点滴瓶等の重さによって基部支柱３ａ内壁に沿って下降していくが、支持支柱３ｂ下端部の緩衝弁体１４の弁部１４ｂ外周下端側は、基部支柱３ａ内壁に密接する寸法を有するので、前記弁部１４ｂ外周下端側が基部支柱３ａ内壁を密接摺動することになり、基部支柱３ａ内空間を遮断する。
このとき、前記弁部１４ｂ内側の空間部Ｇと、接地部１４ｃの底面中心に形成した円筒空洞部Ｒｇとにより、基部支柱３ａ内空間部の空気と接触する表面積が高められており、この表面積に比較して、前記基部支柱３ａ下方の栓部材７の空気流通路１５の断面積が小さいので、支持支柱３ｂが下降していくに連れ、下降時の減少体積は、空気流通路１５からの空気流出体積に比較してはるかに大きいため、基部支柱３ａ内空間部の空気圧が高まっていくことになる。
結果、緩衝弁体１４下方の基部支柱３ａ内空間の空気が緩衝作用を発揮し、抑えられた下降速度で支持支柱３ｂが下降し、やがて、緩衝弁体１４の接地部１４ｃが基部支柱３ａ下方の栓部材７頂部に接地するのである。
【００２５】
一方、支持支柱３ｂを持ち上げていくと、基部支柱３ａ内空間が拡張するので、気圧が低下し、基部支柱３ａ下方の栓部材７の空気流通路１５を介して、基部支柱３ａ内空間内に空気が流入する。
しかながら、空気流通路１５の断面積が小さいので、このままでは、適宜な速度で支持支柱３ｂを持ち上げていくに連れ、基部支柱３ａ内空間内の気圧の低下は進行する。
このとき、基部支柱３ａ内壁と緩衝弁体１４とは、肉厚の薄い弁部１４ｂ外周下端側の箇所のみで接触しているので、基部支柱３ａ内空間内の気圧の低下が進行するに連れ、緩衝弁体１４の外周下端側が縮径的に変形することになり、弁部１４ｂ外周下端側と基部支柱３ａ内壁との間に空気通路が画成され、基部支柱３ａ内空間内に弁部１４ｂ外周下端側と基部支柱３ａ内壁との間から空気が流入し、これによって、支持支柱３ｂ下の基部支柱３ａ内が負圧となることはなく、円滑に支持支柱３ｂを持ち上げることができる。
【００２６】
以上のように、誤って高さ調節ノブ４を緩めすぎた状態で支持支柱３ｂから手を離しても、支持支柱３ｂは、空気緩衝作用によって降下速度が抑制され、より取り扱いの容易なものとすることができ、そのための緩衝装置１３は、基部支柱３ａ内の下端側を閉止した栓部材７と、前記支持支柱３ｂの、基部支柱３ａ内に遊嵌した下端部側に、基部支柱３ａ内下端側に装着した栓部材７に対向して、前記基部支柱３ａ内壁に密接摺動するキャップ形状の緩衝弁体１４とで実現することができるので、これまでの緩衝装置に比較して、部品点数を減ずることができ、製造コストを抑えることができる。
【００２７】
以上、本発明にかかるイルリガートルスタンドにおける支持支柱３ｂの緩衝装置について説明したが、勿論、緩衝装置１３は、イルリガートルスタンド１２に限らず、他の備品にも装着可能である。
【図面の簡単な説明】
【００２８】
【図１】本発明にかかる緩衝装置を用いた、イルリガートルスタンドの支柱部の一例を示す要部断面説明図である。
【図２】図１に示す緩衝装置を構成する緩衝弁体の断面説明図である。
【図３】図１に示すイルリガートルスタンドの支柱部のうち、支持支柱を下降させた際の緩衝装置の作用を説明する要部断面説明図である。
【図４】図１に示すイルリガートルスタンドの支柱部のうち、支持支柱を引き上げた際の緩衝装置の作用を説明する要部断面説明図である。
【図５】従来におけるイルリガートルスタンドの一例を示す、外観斜視図である。
【図６】図５に示すイルリガートルスタンドの支柱部のうち、支持支柱を下降させた際の緩衝装置の作用を説明する要部断面説明図である。
【図７】図５に示すイルリガートルスタンドの支柱部のうち、支持支柱を引き上げた際の緩衝装置の作用を説明する要部断面説明図である。
【符号の説明】
【００２９】
１                            イルリガートルスタンド
２                            脚部
３                            支柱部
３ａ                          基部支柱
３ｂ                          支持支柱
４                            高さ調節ノブ
５                            吊し具
６                            移動用キャスタ
７                            栓部材
８                            受部材
８ａ                          保持軸
８ｂ                          フランジ部
９                            弁体
１０                          挿通穴
１１                          突部
１２                          イルリガートルスタンド
１３                          緩衝装置
１４                          緩衝弁体
１４ａ                        装着部
１４ｂ                        弁部
１４ｃ                        接地部
１５                          空気流通路
Ｇ                            空間部
Ｒｇ                          円筒空洞部
【図１】
2006230479.tif 000003
【図２】
2006230479.tif 000004
【図３】
2006230479.tif 000005
【図４】
2006230479.tif 000006
【図５】
2006230479.tif 000007
【図６】
2006230479.tif 000008
【図７】
2006230479.tif 000009